(57)【要約】【課題】  お祝いの時期や、お祝い、お見舞い、香典等の額の決定など、冠婚葬祭に係る諸々の行動を支援することができる慶弔行事支援システムを提供すること。【解決手段】  ユーザ自身の家族と付き合いがある他の家族の住所、家族の氏名、誕生日などの記念日、親密度などの個人情報を記憶する第１の記憶手段と、前記他の家族とのお祝い、お見舞い、香典などの入出金額及び履歴を記憶する第２の記憶手段と、前記第１の記憶手段に記憶された他の家族の個人情報を読出し、お祝い、お見舞い等の時期を検索して表示する手段と、前記第２の記憶手段に記憶された入出金額の履歴を参照し、前記親密度に応じてお祝い、お見舞い、香典などの出金額を算出して表示する手段とを備えることを特徴とする。【選択図】      図１
2010218079.tif 000002
【特許請求の範囲】
【請求項１】
ユーザ自身の家族と付き合いがある他の家族の住所、家族の氏名、誕生日などの記念日、親密度などの個人情報を記憶する第１の記憶手段と、前記他の家族とのお祝い、お見舞い、香典などの入出金額及び履歴を記憶する第２の記憶手段と、前記第１の記憶手段に記憶された他の家族の個人情報を読出し、お祝いの時期を検索して表示する手段と、前記第２の記憶手段に記憶された入出金額の履歴を参照し、前記親密度に応じてお祝い、お見舞い、香典などの出金額を算出して表示する手段とを備えることを特徴とする慶弔行事支援システム。
【発明の詳細な説明】
【技術分野】
【０００１】
本発明は、お付き合いのある家族(親戚およびご近所付き合いのある家族)のお祝い事の時期管理、及びお祝いから不幸があったときのお見舞い、香典に至るまでの額の決定を支援する慶弔行事支援システムに関するものである。
【背景技術】
【０００２】
一般的な、家計簿システムでは１年分の冠婚葬祭費用の項目はあるが、長期における費用計画は見当たらない。また家族の入学・結婚等の出費等の長期計画は下記の特許文献１のようなファイナンシャルプランニングシステムでは見かけるが、お付き合いのある家族の個人をターゲットとしたお祝い等の出費時期を管理するものが見当たらない。
【先行技術文献】
【特許文献】
【０００３】
【特許文献１】特開２００４−２９５４９２
【発明の概要】
【発明が解決しようとする課題】
【０００４】
お付き合いのある家族の入学・卒業といったお祝い事の時期をついつい忘れてしまいがちで、間じかになって慌ててしまうことがある。また世代交代がすすむ中で、お付き合いのある家族が入院や不幸があったときに、お見舞いや香典をするのかしないのかの判断と、額に迷ってしまいがちである。
【０００５】
本発明の目的は、お祝いの時期と、お祝い、お見舞い、香典等の額の決定など、冠婚葬祭などの慶弔行事に係る諸々の行動を支援することができる慶弔行事支援システムを提供することにある。
【課題を解決するための手段】
【０００６】
上記課題を解決するために、本発明の慶弔行事支援システムは、ユーザ自身の家族と付き合いがある他の家族の住所、家族の氏名、誕生日などの記念日、親密度などの個人情報を記憶する第１の記憶手段と、前記他の家族とのお祝い、お見舞い、香典などの入出金額及び履歴を記憶する第２の記憶手段と、前記第１の記憶手段に記憶された他の家族の個人情報を読出し、お祝いの時期を検索して表示する手段と、前記第２の記憶手段に記憶された入出金額の履歴を参照し、前記親密度に応じてお祝い、お見舞い、香典などの出金額を算出して表示する手段とを備えることを特徴とする。
【発明の効果】
【０００７】
本発明によれば、例えば１月ごとに、第１の記憶手段から他の家族の誕生日などの個人情報を読出し、誕生日が当月である者を表示することにより、お祝いの渡し忘れを防止することができる。そして、過去の入出金額の履歴を参照することにより、お祝い、香典等の金額を迷う事なく決定することができる。例えば、過去にユーザ自身の誕生日に３０００円相等の菓子を頂いていた場合には、同等金額のお祝い、または祝い品を贈るように表示し、ユーザ自身はこの表示にしたがって行動することができる。
【図面の簡単な説明】
【０００８】
【図１】本発明の一実施形態を示すブロック図である。
【図２】家族情報データベースの構成図である。
【図３】個人情報データベースの構成図である。
【図４】冠婚葬祭・額・履歴情報データベースの構成図である。
【図５】冠婚葬祭管理システムの処理の概要を示すフローチャートである。
【図６】お祝い等の金額決定処理の概要を示すフローチャートである。
【図７】家族情報登録画面の表示例である。
【図８】個人情報登録画面の表示例である。
【図９】お祝い・お見舞い・香典等の出金対象の絞込み画面の表示例である。
【図１０】お祝い・お見舞い・香典等の算出結果と出金登録果画面の表示例である。
【図１１】お祝い・お見舞い・香典等の受付入力画面の表示例である。
【発明を実施するための形態】
【０００９】
以下、本発明を実施する場合の実施形態について図面を用いて詳細に説明する。
図１は、本発明の一実施の形態を示すブロック図である。この実施形態の慶弔行事支援システムは、管理用ＰＣ（パーソナルコンピュータ）１で構成される。
管理用ＰＣ１は、家族情報登録部１１と、個人情報登録部１２と、冠婚葬祭・出金確認／登録部１３と、冠婚葬祭・入金登録部１４と、家族情報データベース１５と、個人情報データベース１６と、冠婚葬祭・額・履歴情報データベース１７と、表示および出力部１８と、入力部１９から構成されている。
【００１０】
図２は、家族情報データベース１５に格納される家族情報の一例を示す図である。
図のように、管理番号２０１、所在地２０２、家族名２０３、屋号２０４、住所２０５、続柄２０６、お世話になったポイント情報(1) ２０７〜お世話したポイント情報(1) ２１２から構成され、入力部１９と、家族情報登録部１１により、ユーザ自身の家族、及び付き合いのある他の家族の情報を登録する。お世話になったポイント及びお世話したポイントとは例えば、「草むしりを手伝ってくれた」、「よく声をかけてくれる」、「車で送ってもらった」、「転んだとき起こしてくれた」など金銭のやりとりではないお世話をポイントに換算したものであり、いわば他家との親密度を表すポイントである。
【００１１】
図３は、個人情報データベース１６に格納される個人情報の一例を示す図である。
図のように、管理番号３０１、氏名３０２、生年月日３０３、続柄３０４、お祝い等の発生時期として誕生３０５、入園３０６、小学校入学３０７、中学校入学３０８、高校入学３０９、大学入学３１０、就職３１１、結婚３１２、その他(1) ３１３〜、死亡３１５から構成され、入力部１９と、個人情報登録部１２により、各個人情報を登録する。
【００１２】
図４は、冠婚葬祭・額・履歴情報データベース１７に格納される冠婚葬祭・額・履歴情報の一例を示す図である。
図のように、処理日４０１、入手金区分４０２、我が家の対象者４０３、名目４０４、相手家族の管理番号４０５、相手家族名／氏名４０６、金額４０７、記念品等(1)４０８、予備(1)・４０９から構成され、入力部１９と、表示および出力部１８、冠婚葬祭・出金確認／登録部１３と、冠婚葬祭・入金登録部１４により、各入出金の情報を登録する。
【００１３】
図５は、冠婚葬祭管理システムにおける処理の概要を示すフローチャートである。
まず、本システムを起動し（ステップ５０１）、家族情報の更新があるか判断し（ステップ５０２）、家族情報の追加や変更があったときに家族情報登録部１１の処理を実行し、家族情報及び親密度のポイント情報を家族情報データベース１５に登録する（ステップ５０３）。
次に個人情報の更新があるか判断し（ステップ５０４）、個人情報の追加や変更があったときに個人情報登録部１２の処理を実行し、各個人情報を個人情報データベース１６に登録する（ステップ５０５）。
次に出金確認または登録するかを判断し（ステップ５０６）、お祝い等の対象者確認や出金する額の算出する場合には冠婚葬祭・出金確認／登録部１３の処理を実行し、各データベース１５，１６を参照し、祝い金、見舞金などの情報を表示する（ステップ５０７）。
次に入金登録するかを判定し（ステップ５０８）、お祝い等を頂いていた場合には、冠婚葬祭・入金登録部１４の処理を実行し、入金情報を冠婚葬祭・額・履歴情報データベース１７に登録する（ステップ５０９）。
【００１４】
図６は、お祝い等の金額を算出する冠婚葬祭・出金確認／登録部１３の処理の概要を示すフローチャートである。
ユーザが冠婚葬祭・出金確認／登録部１３を起動すると、冠婚葬祭・出金確認／登録処理がスタートし（ステップ６０１）、個人情報データベース１６の登録情報を読込み、入力された指定期間（例えば当月）において、お祝い行事等のある人を絞込み検索し（ステップ６０２）、さらに、その対象者の画面表示のために家族情報データベース１５の登録情報も読込み、入力された期間にお祝い行事等のある人の一覧情報を編集し、表示する。
表示された一覧から例えば祝い金の算出対象者を選択すると、冠婚葬祭・出金確認／登録部１３が冠婚葬祭・額・履歴情報データベース１７の登録情報を読込み、過去に算出対象者から祝い金をもらっている履歴データがあるかを調べ（ステップ６０３）、あった場合（ステップ６０４）、直近で、同じ行事で頂いた金額を基準金額に設定する（ステップ６０５）。
例えば入学祝いであれば、直近に頂いた額を基準金額にセットする。
対象データがなかった場合、行事別標準額テーブル（図示せず）に基準値を設定しておき、該当の行事の額を基準金額にセットする。例えば、お見舞い５０００円、ご入園１００００円、香典５０００円等を行事毎に登録しておき、対象の行事の額を設定する。
次に、家族情報データベース１５に互いの家族の親密度のポイント情報が登録されているかを判定し（ステップ６０７）、ポイント情報ありの場合は、お世話になったポイントとお世話したポイントを相殺しプラスとなった場合、ポイント数に応じて先ほどの基準金額に額をプラスする（ステップ６０８）。
【００１５】
例えばお世話になったポイントが「３０」でお世話したポイントが「１０」の場合、相殺すると「２０」ポイントとなり、１ポイント１００円とすると、基準額に２０００円プラスすることになる。
これで祝い金の算出が完了し、画面表示する（ステップ６０９）。
ユーザは、表示された家族の履歴情報も加味して額の妥当性を確認し正式に決定する。
額に問題なければ、金額決定か判定し（ステップ６１０）、決定で個人情報データベース１６と冠婚葬祭・額・履歴情報データベース１７における祝い金の支出対象者と出金額の履歴を更新する（ステップ６１１）。
決断できなかったときは、更新しないで終了する。
なお、ポイントを使用した場合の処理としてポイント更新ありかを判定し（ステップ６１２）、更新ありのとき、家族情報データベース１５のポイント情報の使用したポイント分を減算し、終了する（ステップ６１３）。
【００１６】
図７は、家族情報登録画面の例であり、この画面で家族情報の登録、更新を行なう。
登録項目は、所在地選択７０１、データ更新区分７０３、家族理番号７０４、所在地７０５、宅名７０６、屋号７０７、住所７０８、続柄７０９、お世話になったポイント７１０、・・・お世話したポイント(n)７１５で構成され、表示ボタン７０２、戻るボタン７１６、登録ボタン７１７が設けられている。
例えば、「項番７」を新規登録する場合、まず登録済みのデータを表示するため所在地に、今回は一覧を指定し登録済みの一覧を表示させ、スクロールして最終行に、７０６〜７１６までの項目を入力し、更新区分７０３を新規とし、登録ボタン７１７を押すことで家族情報データベース２０６へ登録される。お世話になったポイント及びお世話したポイントの入力の際には上記した「草むしりを手伝ってくれた」、「よく声をかけてくれる」、「車で送ってもらった」、「転んだとき起こしてくれた」など一般的な親切についてそれぞれのポイントの規定値を示す入力メニューを表示し、それを用いて入力できるようになっている。また、一旦入力メニューから入力した後、ポイントの規定値を入力者の感覚で編集し増減させて入力を確定することもできる。入力メニューにない親切については入力者の感覚のみで入力する。入力メニューを表示せずに最初から入力者の感覚でポイント値を入力する実装にしてもよい。また、「息子が泣かされた」、「ごみ出しの日を間違えてる」などの迷惑については負の親切としてマイナスのポイント値で入力する。
家族管理番号７０４は自動割当し、更新は更新区分に更新を設定し、更新項目を修正し、登録ボタン７１７を押すことで更新することができる。
【００１７】
図８は、個人情報登録画面の例であり、この画面で個人情報の登録、更新を行なう。
登録項目は、家族管理番号８０１、所在地８０２、家族名８０３、更新区分８０５、氏名８０６、生年月日８０７、続柄８０８、お祝い・お見舞い・香典等発生時期として誕生８０９、入園８１０、小学校入学８１１、中学入学８１２、高校入学８１３、大学入学８１４、就職８１５、結婚８１６、その他８１７・・死亡８１９から構成され、絞込み表示ボタン８０４、戻るボタン８２０、登録ボタン８２１が設けられている。
例えば「項番７」を登録する場合、登録する本人の家族管理番号８０１を入力し、絞込み表示ボタン８０４を押下すると、鈴木家の登録者一覧が表示され、更新区分８０５に新規を入力し、かつ氏名８０６、生年月日８０７、続柄８０８を入力する。尚、生年月日を入力することで、誕生日８０９〜大学入学８１４までの時期は、自動設定される。後で修正は可能である。入力が終われば、登録ボタン８２１を押下することにより、個人情報データベース１６へ登録される。
なお、家族管理番号がわからないときは、所在地８０２、家族名８０３等で絞込みして対応することができる。
また、結婚８１６等は、時期が決定されたならば入力する。
【００１８】
図９と図１０は、お祝い・お見舞い・香典等の対象検索から結果確認、額決定登録までの操作イメージ図である。
図９が対象者検索画面で、図１０が算出結果確認と登録画面である。
例えば２００９年にお祝い等の行事のある人を検索し、見つかった中で「鈴木愛子」さんの入園祝いを算出する操作例を説明する。
【００１９】
図９の検索画面の項目は期間の絞込み用に、対象期間開始９０１、終了９０２、家族の絞込みに、宅管理番号９０３、所在地９０４、家族名９０５、行事項目９０６、氏名指定９０７があり、入力後、絞込み表示ボタン９０８を押下することで、対象者の以下の項目が表示される。
項目は家族管理番号９０９、氏名９１０、生年月日９１１、続柄９１２、お祝い・お見舞い・香典等発生時期・誕生９１３、入園９１４、小学校入学９１５、中学入学９１６、高校入学９１７、大学入学９１８、就職９１９、結婚９２０、その他９２１・・死亡９２３である。
例えば2009年１月１日〜2009年12月31日までに何らかのお祝い等の行事がある人を確認する場合は、対象期間開始９０１に「20090101」を、終了９０２に「20091231」を指定し、絞込み表示ボタン９０８を押下することで、対象者の一覧が表示される。
他の絞込み条件を指定することで、表示対象を絞ることも可能である。今回は、「鈴木愛子」を処理するため家族管理番号「０００２」を選択することで、図１０の結果画面が表示される。
【００２０】
図１０は、お祝い・お見舞い・香典等の算出結果と出金登録画面の例であり、対象者のお祝い金等の確認および決定額を登録する。これにより、冠婚葬祭・額・履歴情報データベース１７、個人情報データベース１６、および家族情報データベース１５の更新を行なう。
この画面の項目は、上部に対象者の家族の情報があり、家族管理番号１００１、所在地１００２、家族名１００３、屋号１００４、住所１００５、続柄１００６、お世話になったポイント１００７・・・お世話したポイント(n)１０１２が表示され、中程に我が家（ユーザ自身）が過去に頂いた情報として、家族管理番号１０１３、氏名１０１４、生年月日１０１５、続柄１０１６、お祝い・お見舞い・香典等発生時期・誕生１０１７、入園１０１８、小学校入学１０１９、中学入学１０２０、高校入学１０２１、大学入学１０２２、就職１０２３、結婚１０２４、その他１０２５・・死亡１０２７が表示され、下部にお祝い対象家族の情報で、家族管理番号１０２８、氏名１０２９、生年月日１０３０、続柄１０３１、お祝い・お見舞い・香典等発生時期・誕生１０３２、入園１０３３、小学校入学１０３４、中学入学１０３５、高校入学１０３６、大学入学１０３７、就職１０３８、結婚１０３９、その他１０４０・・死亡１０４２が表示される構成となっている。
【００２１】
例えば、図９で項番１の「鈴木愛子」さんを処理するため家族管理番号「０００２」を選択すると、図１０の結果画面が表示される。
上部の家族宅情報は家族情報データベース１５の登録情報に基づき編集され、中程の過去に頂いた情報は個人情報データベース１６と冠婚葬祭・額・履歴情報データベース１７の登録情報に基づき編集され、下部のお祝情報の過去分までは、個人情報データベース１６と冠婚葬祭・額・履歴情報データベース１７の登録情報に基づき編集し、今回対象となる「鈴木愛子」さんの２００９年４月１日分の入園祝いの額は、鈴木さんのお宅から頂いた直近の入園祝いの額を検索し、それを基準額とする。そうすると過去に頂いた物情報の項番５にある山田真一さんが頂いた５０００円が基準額となり、次に家族情報のポイントで加算額を算出する。お世話になったポイントとお世話したポイントを相殺すると、「１０＋２０−１０」＝２０ポイントとなり、例えば１ポイント１００円と設定しておけば基準額＋ポイント加算額＝７０００円となり、お祝い額が７０００円となる。この結果で問題なければ登録ボタン１０４４で、家族情報データベース１５の使用したポイント情報の更新、個人情報データベース１６のお祝い・入園欄に額の更新、冠婚葬祭・額・履歴情報データベース１７に１件出金情報を追加する。
【００２２】
図１１は、お祝い・お見舞い・香典等の受付入力画面の例であり、お祝いを頂いた時に登録し、冠婚葬祭・額・履歴情報データベース１７に登録する。
項目は入力対象情報として更新区分１１０１、処理日１１０２、我が家の対象者１１０３、行事項目１１０４を設定し、入力項目表示ボタン１１０５を押下すると、入力項目画面が表示され、上記で指定した処理区分１１０６、処理日１１０７、入出金区分１１０８、我が家の対象者１１０９、名目１１１０は入力不要で、相手宅番号１１１１、相手家族名／氏名１１１２、金額１１１３、記念品等１１１４を、頂いた件数分入力し、登録ボタン１１１６を押すことで、冠婚葬祭・額・履歴情報データベース１７に件数分の情報を追加する。
【符号の説明】
【００２３】
１…管理用ＰＣ
１１…家族情報登録部
１２…個人情報登録部
１３…冠婚葬祭費・出金確認/登録部
１４…冠婚葬祭・入金登録部
１５…家族情報データベース
１６…個人情報データベース
１７…冠婚葬祭・額・履歴情報データベース
１８…表示および出力部
１９…入力部
【図１】
2010218079.tif 000003
【図２】
2010218079.tif 000004
【図３】
2010218079.tif 000005
【図４】
2010218079.tif 000006
【図５】
2010218079.tif 000007
【図６】
2010218079.tif 000008
【図７】
2010218079.tif 000009
【図８】
2010218079.tif 000010
【図９】
2010218079.tif 000011
【図１０】
2010218079.tif 000012
【図１１】
2010218079.tif 000013